(57)【要約】      （修正有）【課題】コイン出現手品を容易に行なえるギミックを提供する。【解決手段】ギミック１は磁石内蔵のコインを磁着させる直径が１乃至２ｃｍ程度の円盤状の磁着部２を備える。テグスで形成された第１、第２の紐部材５、７の一端側が磁着部２の周縁部に取着してあり、第１の紐部材５の他端側に小指の爪に掛ける爪掛け部６が設けてある。第２の紐部材６の他端側は輪ゴム９を介して安全ピン８と連結されている。ギミック１の長さは上着の左手の長袖の後ろ側で肘近くの内部に安全ピン８を留めたとき、爪掛け部６が袖口の近くに来るようになっており、爪掛け部６を手先へ引っ張って左手の小指の爪に掛け、左の手のひら（手の甲）を斜め上前向きにすると、磁着部２が小指の付け根と手首の間の甲（手のひら）側に配置するので、磁着部２や、磁着部２に磁着させたコインを観客から見えないようにしてコイン出現手品を行なえる。【選択図】図１
0003203121.tif 000002
【実用新案登録請求の範囲】
【請求項１】
全部または一部が磁性を有する物品を、手の小指付け根と手首の間に着脱自在に磁着させるための磁着部と、
一端側が磁着部に取着されるとともに、他端側に手の小指の爪に掛脱自在に掛ける爪掛け部が設けられており、小指を伸ばした状態で爪掛け部を小指の爪に掛けたとき磁着部が手の小指付け根と手首の間に来る長さを有する第１の紐部材と、
一端側が磁着部に取着されるとともに、小指を伸ばした状態で爪掛け部を小指の爪に掛けた状態のとき他端側が上着の長袖に隠れる位置に来る長さを有する第２の紐部材と、
第２の紐部材の磁着部とは反対側の端部を引っ張り弾性部材を介して上着の長袖内に着脱自在に留める留め具と、
を備えたことを特徴とするギミック。
【請求項２】
磁着部は磁石を備えたこと、
を特徴とする請求項１記載のギミック。
【請求項３】
磁石付きの物品を、手の小指付け根と手首の間に着脱自在に磁着させるための磁着部と、
一端側が磁着部に取着されるとともに、他端側に手の小指の爪に掛脱自在に掛ける爪掛け部が設けられており、小指を伸ばした状態で爪掛け部を小指の爪に掛けたとき磁着部が手の小指付け根と手首の間に来る長さを有する第１の紐部材と、
一端側が磁着部に取着されるとともに、小指を伸ばした状態で爪掛け部を小指の爪に掛けた状態のとき他端側が上着の長袖に隠れる位置に来る長さを有する第２の紐部材と、
第２の紐部材の磁着部とは反対側の端部を引っ張り弾性部材を介して上着の長袖内に着脱自在に留める留め具と、
を備えたことを特徴とするギミック。
【請求項４】
磁着部の全部または一部が磁性を備えたこと、
を特徴とする請求項３記載のギミック。
【請求項５】
磁着部は円盤状またはリング状に形成されていること、
を特徴とする請求項１乃至４の内のいずれか一項記載のギミック。
【請求項６】
第１の紐部材と第２の紐部材の内、少なくとも第１の紐部材は透明または半透明のプラスチック製糸材から成ること、
を特徴とする請求項１乃至５の内のいずれか一項記載のギミック。
【請求項７】
引っ張り弾性部材はゴム紐または輪ゴムから成ること、
を特徴とする請求項１乃至６の内のいずれか一項記載のギミック。
【考案の詳細な説明】
【技術分野】
【０００１】
本考案はギミックに係り、とくにコイン等の物品の出現手品または消失手品に好適なギミックに関する。
【背景技術】
【０００２】
手品芸は人を楽しませるだけでなく、「不思議」と思うときに脳の血流量が増すことでぼけ防止などの健康面にも役立つ。従来から種々の手品用ギミックが使用されているが、物品の出現手品または消失手品が素人でも簡単にできるものが少なかった。
【先行技術文献】
【特許文献】
【０００３】
【特許文献１】実開平０２−４２７００
【考案の概要】
【考案が解決しようとする課題】
【０００４】
本考案は上記した従来技術の問題に鑑みなされたもので、物品の出現手品または消失手品を容易にできるギミックを提供することを、その目的とする。
【課題を解決するための手段】
【０００５】
請求項１記載の考案では、
全部または一部が磁性を有する物品を、手の小指付け根と手首の間に着脱自在に磁着させるための磁着部と、
一端側が磁着部に取着されるとともに、他端側に手の小指の爪に掛脱自在に掛ける爪掛け部が設けられており、小指を伸ばした状態で爪掛け部を小指の爪に掛けたとき磁着部が手の小指付け根と手首の間に来る長さを有する第１の紐部材と、
一端側が磁着部に取着されるとともに、小指を伸ばした状態で爪掛け部を小指の爪に掛けた状態のとき他端側が上着の長袖に隠れる位置に来る長さを有する第２の紐部材と、
第２の紐部材の磁着部とは反対側の端部を引っ張り弾性部材を介して上着の長袖内に着脱自在に留める留め具と、
を備えたことを特徴としている。
請求項２記載の考案では、
磁着部は磁石を備えたこと、
を特徴としている。
請求項３記載の考案では、
磁石付きの物品を、手の小指付け根と手首の間に着脱自在に磁着させるための磁着部と、
一端側が磁着部に取着されるとともに、他端側に手の小指の爪に掛脱自在に掛ける爪掛け部が設けられており、小指を伸ばした状態で爪掛け部を小指の爪に掛けたとき磁着部が手の小指付け根と手首の間に来る長さを有する第１の紐部材と、
一端側が磁着部に取着されるとともに、小指を伸ばした状態で爪掛け部を小指の爪に掛けた状態のとき他端側が上着の長袖に隠れる位置に来る長さを有する第２の紐部材と、
第２の紐部材の磁着部とは反対側の端部を引っ張り弾性部材を介して上着の長袖内に着脱自在に留める留め具と、
を備えたことを特徴としている。
請求項４記載の考案では、
磁着部の全部または一部が磁性を備えたこと、
を特徴としている。
請求項５記載の考案では、
磁着部は円盤状またはリング状に形成されていること、
を特徴としている。
請求項６記載の考案では、
第１の紐部材と第２の紐部材の内、少なくとも第１の紐部材は透明または半透明のプラスチック製糸材から成ること、
を特徴としている。
請求項７記載の考案では、
引っ張り弾性部材はゴム紐または輪ゴムから成ること、
を特徴としている。
【考案の効果】
【０００６】
本考案のギミックを用いて物品出現手品をする場合、予め、ギミックをまっすぐに伸ばしたときに第１の紐部材の爪掛け部が上着の一方の手の長袖の袖口近くに来るようにして、一方の手の長袖の後ろ側の内部に留め具により留めて上着を着る。爪掛け部を引っ張りながら一方の手の小指の爪に掛け、磁石付の物品または全部または一部が磁性を有する物品を磁着部に磁着させ、一方の手のひらを斜め上前向きにして一方の手の小指の付け根と手首の間の甲側に配置した状態としておく。両手のひらを斜め上前向きにして観客に見せ、両手のひらに物品を持っていないことをアピールする。続いて両手を返して手の甲を斜め上前向きにする。磁着部が小指の付け根と手首の間の手のひら側に移動し、観客から見えないので両手の甲にも物品を持っていないことをアピールできる。他方の手のひらを上向きにして下から一方の手のひらに重ね、両手を半回転して他方の手を上側にしながら物品を磁着部から外して一方の手のひらに載せる。この際、磁着部は小指の付け根と手首の間の甲側に移動し、観客から見えなくなる。他方の手を一方の手から離し、一方の手のひらに載った物品を観客に見せることで、物品出現手品を行える。
反対に、本考案のギミックを用いて物品消失手品をする場合、予め、上着の一方の手の長袖の後ろ側の内部で、ギミックをまっすぐに伸ばしたときに第１の紐部材の爪掛け部が袖口近くに来るようにして、上着の長袖の後ろ側の内部に留め具により留めて上着を着る。爪掛け部を引っ張りながら一方の手の小指の爪に掛け、磁着部を小指の付け根と手首の間の甲側に配置した状態とするとともに、他方の手のひらに磁石付の物品または全部または一部が磁性を有する物品を載せ、両手のひらを斜め上前向きにして観客に物品を見せる。一方の手を返して手のひらを下向きにし、磁着部を小指の付け根と手首の間の手のひら側に移動させて観客から見えないようにしながら、一方の手のひらを他方の手のひらに重ねて物品を磁着部に磁着させ、両手を半回転させて右手の甲を上側とする。この際、物品付の磁着部は小指の付け根と手首の間の甲側に移動し、観客から見えなくなる。他方の手を一方の手から離し、空になった両手のひらを観客に見せることで、物品消失手品を行える。
【図面の簡単な説明】
【０００７】
【図１】本考案の一実施例に係るギミックの平面図である（実施例１）。
【図２】図１のギミックを用いたコイン出現手品の仕方を示す説明図である。
【図３】図１のギミックを用いたコイン出現手品の仕方を示す説明図である。
【図４】図１のギミックを用いたコイン出現手品の仕方を示す説明図である。
【図５】図１のギミックを用いたコイン出現手品の仕方を示す説明図である。
【図６】図１のギミックを用いたコイン出現手品の仕方を示す説明図である。
【図７】図１のギミックを用いたコイン出現手品の仕方を示す説明図である。
【図８】図１のギミックを用いたコイン出現手品の仕方を示す説明図である。
【図９】図１のギミックを用いたコイン出現手品の仕方を示す説明図である。
【図１０】図１のギミックを用いたコイン出現手品の仕方を示す説明図である。
【図１１】図１のギミックを用いたコイン出現手品の仕方を示す説明図である。
【図１２】図１のギミックを用いたコイン消失手品の仕方を示す説明図である。
【図１３】図１のギミックを用いたコイン消失手品の仕方を示す説明図である。
【図１４】図１のギミックを用いたコイン消失手品の仕方を示す説明図である。
【図１５】図１のギミックを用いたコイン消失手品の仕方を示す説明図である。
【図１６】図１のギミックを用いたコイン消失手品の仕方を示す説明図である。
【図１７】図１のギミックを用いたコイン消失手品の仕方を示す説明図である。
【図１８】図１のギミックを用いたコイン消失手品の仕方を示す説明図である。
【図１９】図１のギミックを用いたコイン消失手品の仕方を示す説明図である。
【図２０】図１のギミックを用いたコイン消失手品の仕方を示す説明図である。
【考案を実施するための最良の形態】
【０００８】
以下、本考案の最良の形態を実施例に基づき説明する。
【実施例１】
【０００９】
図１を参照して本考案の一実施例を説明する。図１は本考案に係るギミックの平面図である。
図１において、１はギミックであり、ここでは磁石付きコインまたは磁性を有するコインの出現手品または消失手品に用いるものとする。２は直径が１乃至２．２ｃｍ程度の円盤状の磁着部であり、外径直径が０．８乃至２ｃｍ程度のリング状のネオジム磁石３を多孔質で柔軟性の有る黒色又は肌色の薄いソフトカバー４で覆ってある。５は透明または半透明なプラスチック製のテグス糸材により形成された第１の紐部材であり、一端側が磁着部２の周縁寄りに取着されており、他端側に手の小指の爪に掛脱自在な輪状の爪掛け部６が設けられている。第１の紐部材５は手の小指を伸ばした状態で小指の爪に爪掛け部６を掛けたとき、磁着部２が小指の付け根と手首の間の位置に来る長さに形成されている（この実施例では一例として爪掛け部６の先端から磁着部２の取着個所までの長さが９ｃｍ程度としてある）。７は透明または半透明なプラスチック製のテグス糸材により形成された第２の紐部材であり、一端側が磁着部２の内、磁着部２の中心から見て第１の紐部材５とは反対側の周縁寄りに取着されている。８はギミック１を上着の長袖内部に着脱自在に留める留め具としての安全ピン、９は第２の紐部材７の内、磁着部２とは反対側の端部と安全ピン８の間に介装された引っ張り弾性部材としての直径が４ｃｍ乃至５ｃｍ程度の輪ゴムであり、第２の紐部材７の一端側が輪ゴム９の一箇所に取着されており、輪ゴム９の内、第２の紐部材７との反対側が安全ピン８に連結されている。第２の紐部材７は、小指を伸ばした状態で第１の紐部材５の爪掛け部６を小指の爪に掛けた状態のときに、他端側が上着の長袖に隠れる位置に来る長さに形成されている（この実施例では一例として磁着部２の取着個所から輪ゴム９との取着個所までの長さが９ｃｍ程度としてある）。ギミック１は、上着２０の左手の長袖２１を裏返し、上着２０の長袖２１のに沿ってまっすぐに伸ばしたときに、第１の紐部材５の爪掛け部６が袖口２２の近くに来る位置で、安全ピン８が長袖２１の後ろ側の肘近くに来る長さを有する。
【００１０】
次に、図２乃至図２０を参照してギミック１を用いたコイン出現・消失手品の仕方を説明する。
手品の演者は予め、図２に示す如く、上着２０の左手の長袖２１を裏返し、ギミック１を長袖２１に沿ってまっすぐに伸ばして第１の紐部材５の爪掛け部６が袖口２２の近くに来るようにして、長袖２１の後ろ側（肘側）の肘近くの内部に安全ピン８により留めて上着２０を着る。そして、第１の紐部材５の爪掛け部６を左手３０の手先の方へ引っ張りながら左手３０の小指３１の爪に掛け（図３参照）、磁石（図示せず）が内蔵されたコイン５０を磁着部２に磁着させておく（図５参照）。輪ゴム９の引っ張り力により、爪掛け部６は小指３１の爪から外れなくなる。左手３０の手のひらを斜め上前向きにすると、磁着部２は小指３１の付け根と手首の間の甲側に配置した状態となり、左手３０を返して手の甲を斜め上前向きにすると、磁着部２は小指３１の付け根と手首の間の手のひら側に移動した状態となる。第２の紐部材７と輪ゴム９との取着個所は長袖２１の中に隠れる。
【００１１】
最初、図４、図５に示す如く、左手３０、右手４０の両手のひら側を斜め上前向きにして観客に見せる。コイン５０を磁着した磁着部２は観客から見えない甲側に配置した状態となるので、両手のひらに何も持っていないことをアピールできる。続いて、図６、図７に示す如く、両手を返して甲側を斜め上前向きにして観客に見せる。コイン５０を磁着した磁着部２は観客から見えない手のひら側に配置した状態となるので、両手の甲側にも何も持っていないことをアピールできる。
次に、図８に示す如く右手４０の手のひらを上向きにして下から左手３０の手のひらに重ね、コイン５０を磁着部２から外しながら両手を半回転して右手４０を上側、左手を下側にし、コイン５０を左手４０の手ひらに載せる（図９参照）。この際、磁着部２は左手３０の小指３１の付け根と手首の間の甲側に移動し、観客から見えなくなる（図１０参照）。左手３０から右手４０を離し、左手３０の手のひらに載ったコイン５０を観客に見せることで、コイン出現手品を行える（図１１参照）。
【００１２】
続いて、コイン消失手品を行うため、図１２に示す如くコイン５０を右手４０の手のひらに移し、両手のひらを斜め上前向きにして観客にコイン５０を見せる。この際、磁着部２は左手３０の小指３１の付け根と手首の間の甲側に移動し、観客から見えない（図１３参照）。
次に、図１４、図１５に示す如く左手３０を返して手のひらを下向きにし、磁着部２を小指３１の付け根と手首の間の手のひら側に移動させて観客から見えないようにしながら、左手３０の手のひらを右手４０の手のひらに重ねてコイン５０を磁着部２に磁着させる。そして、両手を半回転させて右手４０の甲側を上側とする（図１６乃至図１８）。この際、コイン５０を磁着した磁着部２は小指３１の付け根と手首の間の甲側に移動するので観客から見えない。左手３０から右手４０を離し、空になった両手のひらを観客に見せることで、コイン消失手品を行える（図１９、図２０）。
最後に、小指３１を曲げて、爪から爪掛け部６を外せば、輪ゴム９に引っ張られてコイン５０を磁着した磁着部２を長袖２１の中に隠すことができる。
【００１３】
この実施例によれば、上着２０の左手の長袖２１を裏返し、ギミック１をまっすぐに伸ばして第１の紐部材５の爪掛け部６が袖口２１の近くに来るようにして、長袖２１の後ろ側の肘近くの内部に安全ピン８により留めて上着２０を着る。そして、第１の紐部材５の爪掛け部６を左手３０の手先の方へ引っ張りながら左手３０の小指３１の爪に掛けると輪ゴム９の引っ張り力により、爪掛け部６は小指３１の爪から外れなくなる。左手３０の手のひらを斜め上前向きにすると、磁着部２は小指３１の付け根と手首の間の甲側に配置した状態となり、左手３０を返して手の甲を斜め上前向きにすると、磁着部２は小指３１の付け根と手首の間の手のひら側に移動した状態となる。
従って、コイン出現手品をする場合、予め、磁着部２に磁石内蔵のコイン５０を磁着させておき、両手のひらを斜め上前向きにして観客に見せる。コイン５０を磁着した磁着部２は観客から見えない甲側に配置した状態となるので、両手のひらに何も持っていないことをアピールできる。続いて、両手を返して甲側を斜め上前向きにして観客に見せる。コイン５０を磁着した磁着部２は観客から見えない手のひら側に配置した状態となるので、両手の甲側にも何も持っていないことをアピールできる。
次に、右手４０の手のひらを上向きにして下から左手３０の手のひらに重ね、コイン５０を磁着部２から外しながら両手を半回転して右手４０を上側、左手を下側にし、コイン５０を左手４０の手ひらに載せる。この際、磁着部２は左手３０の小指３１の付け根と手首の間の甲側に移動し、観客から見えなくなる。左手３０から右手４０を離し、左手３０の手のひらに載ったコイン５０を観客に見せることで、コイン出現手品を行える。
【００１４】
コイン消失手品をする場合、コイン５０を右手４０の手のひらに載せ、両手のひらを斜め上前向きにして観客にコイン５０を見せる。この際、磁着部２は左手３０の小指３１の付け根と手首の間の甲側に移動し、観客から見えない。左手３０を返して手のひらを下向きにし、磁着部２を小指３１の付け根と手首の間の手のひら側に移動させて観客から見えないようにし、左手３０の手のひらを右手４０の手のひらに重ねてコイン５０を磁着部２に磁着させる。続いて、両手を半回転させて右手４０の甲側を上側とする。この際、コイン５０を磁着した磁着部２は小指３１の付け根と手首の間の甲側に移動するので観客から見えない。左手３０から右手４０を離し、空になった両手のひらを観客に見せることで、コイン消失手品を行える。
【００１５】
なお、上記した実施例では、磁着部に着脱自在に磁着させる磁石付きの物品として、磁石内蔵のコインを例に挙げて説明したが、磁石付きの指輪、磁石付きのボタンなど、他の種類の磁石付き物品としても良い。また、全部または一部に鉄等の磁性を備えた成分を含む物品を着脱自在に磁着させるようにしても良い。
また、磁着部にはネオジム磁石に代えて単にリング状の磁性体を内蔵させ、磁石付き物品を着脱自在に磁着させるようにしても良い。
また、引っ張り部材を紐状ゴム、コイルバネなどとしても良い。
【産業上の利用可能性】
【００１６】
本考案は、物品の出現、消失手品に使用するギミックに適用可能である。
【符号の説明】
【００１７】
１  ギミック
２  磁着部
３  ネオジム磁石
５  第１の紐部材
６  爪掛け部
７  第２の紐部材
８  安全ピン
９  輪ゴム
２１  袖
２２  袖口
３０  左手
３１  小指
４０  右手
５０  コイン
【図１】
0003203121.tif 000003
【図２】
0003203121.tif 000004
【図３】
0003203121.tif 000005
【図４】
0003203121.tif 000006
【図５】
0003203121.tif 000007
【図６】
0003203121.tif 000008
【図７】
0003203121.tif 000009
【図８】
0003203121.tif 000010
【図９】
0003203121.tif 000011
【図１０】
0003203121.tif 000012
【図１１】
0003203121.tif 000013
【図１２】
0003203121.tif 000014
【図１３】
0003203121.tif 000015
【図１４】
0003203121.tif 000016
【図１５】
0003203121.tif 000017
【図１６】
0003203121.tif 000018
【図１７】
0003203121.tif 000019
【図１８】
0003203121.tif 000020
【図１９】
0003203121.tif 000021
【図２０】
0003203121.tif 000022